(57)【要約】【課題】  ロータヨークの軸方向移動を規制するストッパーをフレームの底板に一体に形成することで、部品点数を減らし、製作を容易にする磁気ディスク装置を提供する。【解決手段】  スピンドルモータ１１１と、スピンドルモータ１１１が固定される底板部２ａを有するフレーム２と、磁気ディスクをローディング・アンローディングするためのディスク移動機構部１０６と、ヘッドをシークさせるキャリッジを有するキャリッジ機構部１０７とを有する磁気ディスク装置において、フレーム２の底板部２ａの上面側にディスク移動機構部１０６とキャリッジ機構部１０７とが取り付けられ、フレーム２の底板部２ａにはスピンドルモータ１１１のロータヨークの軸方向の移動量を規制するストッパー部２ｃが一体に形成されている。【選択図】        図１
2004171757.tif 000002
【特許請求の範囲】
【請求項１】
一方の端部が軸受に挿入された回転軸、および該回転軸の他方の端部に固定された回転軸を中心に回動するロータヨークを有するスピンドルモータと、該スピンドルモータが固定される底板部を有するフレームと、磁気ディスクをローディング・アンローディングするためのディスク移動機構部と、ヘッドをシークさせるキャリッジを有するキャリッジ機構部とを有する磁気ディスク装置において、
前記フレームの底板部の上面側に前記ディスク移動機構部と前記キャリッジ機構部とが取り付けられ、前記フレームの底板部には前記スピンドルモータのロータヨークの軸方向の移動量を規制するストッパー部が一体に形成されていることを特徴とする磁気ディスク装置。
【発明の詳細な説明】
【技術分野】
【０００１】
本発明は、フレキシブル磁気ディスク装置に係わり、さらに詳しくは、スピンドルモータの改良に伴うフレキシブル磁気ディスク装置の筐体の構造に関するものである。
【背景技術】
【０００２】
図１０は従来のフレキシブル磁気ディスク装置の外観を示す斜視図、図１１はその分解斜視図、図１２はキャリッジ機構部のキャリッジ部を説明するための側面図、図１３は記録媒体を回転させるコア付ラジアルギャップ型モータの断面図である。
【０００３】
これらの図において、１０１はフレキシブル磁気ディスク装置、１０２はフレキシブル磁気ディスク装置１０１の前面に設けられ、フレキシブル磁気ディスク１０４の挿入および排出を兼ねた開口部１０２ａを有するパネル、１０３はフレキシブル磁気ディスク装置１０１のカバー、１０５ａ，１０５ｂはフレキシブル磁気ディスク装置１０１をシステム側のパソコン本体等に取り付けるための保持部材である。
【０００４】
１０６はフレキシブル磁気ディスク１０４のローディングおよびアンローディングを行なうディスク移動機構部、１０６ａはフレキシブル磁気ディスク１０４を着脱自在に保持するホルダー、１０６ｂはホルダー１０６ａと係合しながらフレキシブル磁気ディスク１０４のローディング・アンローディング方向に移動し、フレキシブル磁気ディスク１０４を記録、再生、消去等を行なうディスクロード位置に案内する案内部、１０６ｃは案内部１０６ｂをアンローディング方向に付勢するためのばね、１０６ｄはホルダー１０６ａの上面に設けられたレバーで、フレキシブル磁気ディスク１０４のローディング時は、一端を支点として後方に円弧を描いて移動すると共に、フレキシブル磁気ディスク１０４のカバー１０４ｂを開放して記録媒体１０４ａを露出させ、アンローディング時は、ばね１０６ｅの付勢に基づいてフレキシブル磁気ディスク１０４を排出する。
【０００５】
１０６ｆはフレキシブル磁気ディスク１０４がディスクロード位置で保持されるように案内部１０６ｂの移動を規制するレバー、１０６ｇはレバー１０６ｆに付勢するばね、１０６ｈはパネル１０２を貫通して案内部１０６ｂに取り付けられるスイッチ部で、押圧されたときにレバー１０６ｆの規制を解除してフレキシブル磁気ディスク１０４をアンローディングさせる。１０６ｉはホルダー１０６ａの上面後方に、後述するキャリッジ機構部１０７に近接して設けられたリフタ部で、フレキシブル磁気ディスク１０４が挿入される前はキャリッジ機構部１０７のアーム部１０７ｃに設けられたリフタ受部１０７ｅに当接して、フレキシブル磁気ディスク１０４が挿入されるのに十分な間隔を保持し、フレキシブル磁気ディスク１０４のローディングによりホルダー１０６ａが移動したときはそのアーム部１０７ｃを案内し、フレキシブル磁気ディスク１０４がヘッドロード位置に達したときリフタ受部１０７ｅから離反する。
【０００６】
１０７はヘッド１０７ｂ，１０７ｄをフレキシブル磁気ディスク１０４の回転方向と直交する方向にシークさせるキャリッジ機構部、１０７ａは基台のキャリッジ、１０７ｂはキャリッジ１０７ａに設けられたヘッド、１０７ｃはヘッド１０７ｂに対向する位置にヘッド１０７ｄを有するアーム部、１０７ｅはアーム部１０７ｃに設けられ，前記リフタ部１０６ｉが当接しているリフタ受部、１０７ｆはキャリッジ１０７ａとアーム部１０７ｃとの支持部、１０７ｇはアーム部１０７ｃに付勢しているばねで、フレキシブル磁気ディスク１０４がヘッドロード位置に達したときその記録媒体１０４ａにヘッド１０７ｂ，１０７ｄを適切な接触状態にする圧力を加えるためのものである。１０７ｈはキャリッジ１０７ａをフレキシブル磁気ディスク１０４の回転方向に直交する方向に移動させるステッピングモータ、１０７ｉはキャリッジ機構部１０７の構成要素を取り付けるサブフレームである。
【０００７】
１０８は各機構部を収納および取り付けるためのフレーム、１０８ａはフレーム１０８の底板部、１０８ｂは後述するハブ１０９ｆを挿入するためのモータ開口部、１０８ｃ〜１０８ｆはフレキシブル磁気ディスク１０４をディスクロード位置で位置決め支持する支持部、１０９は記録媒体１０４ａを回動させるコア付ラジアルギャップ型モータ、１０９ａは回転軸、１０９ｂは回転軸１０９ａを回動自在に支持する一対の軸受、１０９ｃは電気配線処理された基板を有するベースで、軸受１０９ｂを固定している。１０９ｄは中央部に回転軸１０９ａが固定され、その回転軸１０９ａと共に回動するロータヨーク、１０９ｅはロータヨーク１０９ｄの内周面に固着された円環状の多極着磁されたロータ磁石である。
【０００８】
１０９ｆは軸受１０９ｂを貫通した回転軸１０９ａに装着され、記録媒体１０４ａを保持するチャッキング部を有するハブ、１０９ｇはロータヨーク１０９ｄを回転軸１０９ａに固定するためのねじ、１０９ｈは磁性材からなる積層状のステータヨークで、端面がロータ磁石１０９ｅの磁極面と対向するようにベース１０９ｃに固定的に設けられている。１０９ｉはステータヨーク１０９ｈに巻回されたコイル、１１０はフレキシブル磁気ディスク装置１０１の基板部で、バスライン１１０ａによってベース１０９ｃと接続されている。
【０００９】
前記のように構成された従来のフレキシブル磁気ディスク装置の動作を説明する。フレキシブル磁気ディスク１０４が開口部１０２ａより挿入されると、ディスク移動機構部１０６のホルダー１０６ａがそのフレキシブル磁気ディスク１０４を保持し、案内部１０６ｂがホルダー１０６ａと共にローディング方向に移動してディスクロード位置に案内する。一方、フレキシブル磁気ディスク１０４は、案内部１０６ｂのレバー１０６ｄによってカバー１０４ｂが開放されると共に、支持部１０８ｃ〜１０８ｆによって位置決め支持される。このとき、キャリッジ機構部１０７のヘッド１０７ｂ，１０７ｄが記録媒体１０４ａにそれぞれ接触する。ここで、システム側のパソコン本体等から記録、再生、消去等を行わせる信号が入力されると、モータ１０９は駆動して記録媒体１０４ａを回転させ、キャリッジ機構部１０７がヘッド１０７ｂ，１０７ｄを所定のトラックにシークさせて記録、再生、消去等を行う。
【００１０】
また、フレキシブル磁気ディスク１０４を取り出すためにスイッチ部１０６ｈを押圧すると、案内部１０６ｂがホルダー１０６ａと共にアンローディング方向に移動する。このとき、案内部１０６ｂのレバー１０６ｄがばね１０６ｅの付勢によってフレキシブル磁気ディスク１０４を開口部１０２ａ側に押し出す。
【００１１】
次に、前述したコア付ラジアルギャップ型モータ１０９とタイプの異なるモータに就いて説明する。この種のモータは、各モーターメーカが特に標準化、コスト耐力向上を図るために製造に力をいれているもので、比較的安価に調達でき、１インチ厚タイプのフレキシブル磁気ディスク装置に使用されている。
【００１２】
図１４はそのモータを説明するための断面図であり、このモータ（以下、「おわん型のスピンドルモータ」と称する）１１１は、回転軸１１１ａ、回転軸１１１ａを回動自在に支持している一対の軸受１１１ｂ、軸受１１１ａを収納固定しているハウジング部１１１ｃ、ハウジング部１１１ｃが固定され、電気配線処理された基板を有する鉄部材のベース１１１ｄ、後述するハブ１１１ｇを介して回転軸１１１ａを中心に回動するロータヨーク１１１ｅ、ロータヨーク１１１ｅの内周面に固着された円環状のロータ磁石１１１ｆ、外周がロータヨーク１１１ｅと固定され、中央部が回転軸１１１ａと固定され、記録媒体１０４を保持するチャッキング部を有するハブ１１１ｇ、端面がロータ磁石１１１ｆの磁極面に対向するようにベース１１１ｄに固定的に設けられ、磁性材をそれぞれ積層してなるステータヨーク１１１ｈ、およびステータヨーク１１１ｈに巻回されたコイル１１１ｉからなっている。
【００１３】
【特許文献１】実開平５−３６６４６号公報
【発明の開示】
【発明が解決しようとする課題】
【００１４】
前記のようなおわん型のスピンドルモータ１１１を用いた従来のフレキシブル磁気ディスク装置においては以下に示す問題点があった。
【００１５】
ロータヨーク１１１ｅが磁気力だけで保持されているため、外部からの衝撃等の外力を受けると、ロータヨーク１１１ｅがベース１１１ｄから離れる方向に移動してしまう恐れがあった。
【００１６】
本発明は、かかる課題を解決するためになされたもので、部品点数を増やすことなくロータヨークの軸方向の移動を規制する磁気ディスク装置を提供することを目的とする。
【課題を解決するための手段】
【００１７】
本発明に係る磁気ディスク装置は、一方の端部が軸受に挿入された回転軸、および回転軸の他方の端部に固定された回転軸を中心に回動するロータヨークを有するスピンドルモータと、スピンドルモータが固定される底板部を有するフレームと、磁気ディスクをローディング・アンローディングするためのディスク移動機構部と、ヘッドをシークさせるキャリッジを有するキャリッジ機構部とを有する磁気ディスク装置において、フレームの底板部の上面側にディスク移動機構部とキャリッジ機構部とが取り付けられ、フレームの底板部にはスピンドルモータのロータヨークの軸方向の移動量を規制するストッパー部が一体に形成されているものである。
【発明の効果】
【００１８】
以上のように本発明によれば、フレームの底板部に設けられたストッパー部によって、スピンドルモータのロータヨークの軸方向の移動を規制することが可能になり、また、そのストッパー部がフレームの底板部に一体に形成されているので、部品点数が少なくなり、製作が容易になる。
【発明を実施するための最良の形態】
【００１９】
実施の形態１．
図１は本発明の実施の形態１を示すフレキシブル磁気ディスク装置の分解斜視図、図２はおわん型のスピンドルモータの取り付け要部を説明するためのフレームの斜視図、図３は図２に示すフレームの正面図、図４はキャリッジとストッパー部とおわん型のスピンドルモータとの位置関係を示す側面図、図５はおわん型のスピンドルモータとストッパー部とフレキシブル磁気ディスクとの位置関係を示す側面図である。なお、図１０乃至図１４で説明した従来例と同一又は相当部分には同じ符号を付し説明を省略する。
【００２０】
これらの図において、２は鉄板からなるフレーム、２ａはフレーム２の底板部で、下面側におわん型のスピンドルモータ１１１や基板部１１０が取り付けられ、上面側にキャリッジ機構部１０７やディスク移動機構部１０６がそれぞれ取り付けられる。２ｂはおわん型のスピンドルモータ１１１のロータヨーク１１１ｅの外径より大きく形成されたモータ開口部で、そのモータ１１１のハブ１１１ｇが底板部２ａの上面に突出するようになっている。２ｃは本発明のストッパー部で、モータ開口部２ｂの内縁部から高さ方向に延出した後に中心方向に延出した突起片２ｄ、およびその突起片２ｄに設けられ、ロータヨーク１１１ｅの軸方向の移動量を規制するための突部２ｅからなっている（図２、図３参照）。
【００２１】
この突部２ｅは、例えば押し出し加工により突起片２ｄの下面に形成されたもので、その先端は図４に示すようにロータヨーク１１１ｅの上面から高さＢの位置にある。この高さＢは、ロータヨーク１１１ｅの上面から高さＡの位置に設けられたキャリッジ１０７ａより低い寸法である。これは、キャリッジ１０７ａがモータ１１１の中心側にシークしたときに、ロータヨーク１１１ｅが回転軸１１１ａおよびハブ１１１ｇと共に軸方向（ベース１１１ｄから離れる方向）に移動してもロータヨーク１１１ｅがキャリッジ１０７ａに接触しないようにしたものである。また、この突部２ｅは、ロータヨーク１１１ｅがその先端に接触しても点接触で摩擦が小さいので回転に支障を与えることがない。
【００２２】
また、高さＢは、図５に示すように回転軸１１１ａの先端からフレキシブル磁気ディスク１０４の下面を支えるディスク移動機構部１０６のホルダ１０６ａまでの高さＣより低い寸法である。この高さＣはフレキシブル磁気ディスク１０４をローディングする前の高さで、フレキシブル磁気ディスク１０４をアンローディングする際、回転軸１１１ａの先端がそのフレキシブル磁気ディスク１０４に引っ掛かって共に移動しようとしても、突部２ｅが先にロータヨーク１１１ｅに接触してその移動を規制すると共に、磁気ディスク１０４から回転軸１１１ａを離反させる。
【００２３】
２ｆはフレーム２の底板部２ａと一体のモータ取付部で、ヘッド１０７ｂ，１０７ｄのシーク方向に対して前記スピンドルモータ１１１の回転軸を通って直交する位置に配置され、モータ開口部２ｂの内縁部から下方に延出した後に中心方向に延出した突起片からなり、その高さは図３に示すようにロータヨーク１１１ｅの厚さとほぼ同じになっている。また、このモータ取付部２ｆには、おわん型のスピンドルモータ１１１のベース１１１ｄを取り付けるためのねじ穴が設けられている。２ｇはモータ取付部２ｆと同じように形成されたモータ取付部、２ｈは例えばめねじが施された中空部を有する円筒状のポスト部で、スイッチ部１０６ｈ近傍の底板部２ａの下面にカシメ止めされ、前述したモータ取付部２ｆ，２ｇと共におわん型のスピンドルモータ１１１のベース１１１ｄをねじで固定するためのものである。２ｉは底板部２ａに穿設された下記ホルダー取付用のねじ穴（図２参照）、モータ取付部２ｆとほぼ同じ中心線上に設けられている。
【００２４】
３は基板部１１０およびベース１１１ｄを下方より覆うようにフレーム２の下面に取り付けられるホルダーで、底板部３ｄと、底板部３ｄの長手方向と直交する方向の両端にそれぞれ対向して設けられた側板部３ａと、側板部３ａにそれぞれ設けられた他の機器本体に取り付けるための取付部３ｂと、前記フレーム２にモータ取付部２ｆの近傍で固定するフレーム取付部３ｃとを備えている。この側板部３ａは従来別途であった保持部材１０５ａ，１０５ｂに相当するが、本実施の形態においてはホルダー３の一部材として用いられている。また、フレーム取付部３ｃはフレーム２の底板部２ａに設けられたねじ穴２ｉに対応している。
【００２５】
次に動作について説明する。各部の動作は基本的に従来例とほぼ同じであるため、本発明に関わる動作のみを述べる。システム側のパソコン等からの記録、再生、消去等を行なわせる信号が入力されると、おわん型のスピンドルモータ１１１は記録媒体１０４ａを回転させ、キャリッジ機構部１０７のキャリッジ１０７ａが所定のトラックにシークする。キャリッジ１０７ａがロータヨーク１１１ｅの上方に位置しているときに、振動あるいは縦に設置して使用された場合等により、ロータヨーク１１１ｅが軸方向（ベース１１１ｄから離れる方向）に移動すると、ロータヨーク１１１ｅがキャリッジ１０７ａに接触する前にストッパー部２ｃの突部２ｅがそのロータヨーク１１１ｅに接触し移動量を規制する。このとき、回転軸１１１ａは、ロータヨーク１１１ｅと突部２ｅの先端との接触面積が小さいために回転を継続し、フレキシブル磁気ディスク１０４の記録媒体１０４ａを回転させる。
【００２６】
また、フレキシブル磁気ディスク１０４を排出するためにスイッチ部１０６ｈが押圧されると、ディスク移動機構部１０６がフレキシブル磁気ディスク１０４をアンローディングするために移動し、ハブ１１１ｇは、チャッキング部にてフレキシブル磁気ディスク１０４を保持しているので、フレキシブル磁気ディスク１０４の移動に伴い移動する。このとき、回転軸１１１ａの先端がフレキシブル磁気ディスク１０４に引っ掛かった場合には、回転軸１１１ａがハブ１１１ｇおよびロータヨーク１１１ｅと共に上方に移動するが、ストッパー部２ｃの突部２ｅがロータヨーク１１１ｅの移動量を規制して回転軸１１１ａをフレキシブル磁気ディスク１０４から離反させる。
【００２７】
この実施の形態１に示すフレキシブル磁気ディスク装置は以上のように構成されているので以下に示す効果を奏する。
ストッパー部２ｃの突起片２ｄ下面に突部２ｅを設けてロータヨーク１１１ｅの移動量を規制するようにしたので、キャリッジ機構部１０７への損傷を防止でき、ロータヨーク１１１ｅおよびハブ１１１ｇの移動による記録媒体１０４ａに対するヘッド１０７ｂ，１０７ｄの接触性を損なうことがなくなり、また、突部２ｅの点接触で回転に与える影響を少なくしているので、記録、再生、消去等の信頼性を確保することができる。
【００２８】
さらに、フレキシブル磁気ディスク１０４のアンローディング時、回転軸１１１ａがそのディスク１０４から離反しないときでも突部２ｅにより強制的に離されるので、フレキシブル磁気ディスク１０４が引っ掛かって排出されないということがなくなると共に、そのディスク１０４を保護できる。
【００２９】
また、おわん型のスピンドルモータ１１１のベース１１１ｄをモータ取付部２ｆ，２ｇで固定したので、簡易な構造でロータヨーク１１１ｅの厚さを吸収でき、しかも容易に取付ができる。さらには、モータ取付部２ｆ，２ｇは、モータ開口部２ｂを形成するために除かれる部分を利用してフレーム２に一体に形成されているので、部品点数も少なくコスト減を図ることができる。
【００３０】
また、おわん型のスピンドルモータ１１１を取り付ける取付部の一部をカシメ止めされたポスト部２ｈとすることによって、そのモータ１１１を組み立てた際のフレーム２の機械的剛性を強めることができる。さらに、ポスト部２ｈをスイッチ部１０６ｈの近傍のフレーム２に設けてその周辺を補強しているので、外部からの耐衝撃性を強めることができる。
【００３１】
また、モータ取付部２ｆをヘッド１０７ｂ，１０７ｄのシーク方向に対してスピンドルモータ１１１の回転軸を通って直交する位置に配置すると共に、そのモータ取付部２ｆとほぼ同一線上にフレーム取付部３ｃをホルダー３に設けて、フレーム２にホルダー３を取り付けるようにしたので、比較的剛性の弱いモータ開口部２ｂ周辺の底板部２ａをパソコン本体等からの振動による影響を抑えることができると共に、キャリッジ機構部１０７およびおわん型のスピンドルモータ１１１への振動を最小限に抑えることができ、また、これに伴い記録、再生、消去等を損なうことなく行うことができる。
【００３２】
さらにまた、フレーム２の下側をホルダー３で覆うようにしたので、パソコン本体等からの磁気ノイズを遮断することが可能になり、記録、再生、消去等の信頼性を向上させることができる。
【００３３】
実施の形態２．
本発明の実施の形態２について説明する。この実施の形態２は実施の形態１に示したフレキシブル磁気ディスク装置のフレーム２にフレキシブル磁気ディスク１０４の反り防止手段を設けたものであり、図６は実施の形態２を説明するためのフレームの一部拡大斜視図、図７は正面図である。図において、２ｊはストッパー部２ｃの突起片２ｄ上面に設けられた突部で、実施の形態１で説明した突部２ｅと同様に押し出し加工にて形成されたもので、その先端は位置決め部１０８ｃ〜１０８ｆの高さとほぼ同じ位置にある。
【００３４】
次に動作について説明する。従来と同様にパネル１０２の開口部１０２ａからフレキシブル磁気ディスク１０４を挿入すると、フレキシブル磁気ディスク１０４は、ディスク移動機構部１０６によりディスクロード位置に配置されると共に、位置決め部１０８ｃ〜１０８ｆにて位置決めおよび支持される。このとき、突部２ｊは下方よりフレキシブル磁気ディスク１０４のほぼ中央部を支える。
【００３５】
この実施の形態２によれば、突部２ｊがフレキシブル磁気ディスク１０４のほぼ中央部を下方から支えて記録媒体１０４ａの反りを防止できるようにしたので、記録、再生、消去等に悪影響を与えないという効果を奏する。なお、反り防止用の突部２ｊを押し出し加工にて形成したことに就いてのべたが、その手段は押し出しに限らず切り起こしでも、他の部品の取り付けでも同等の効果を奏するものである。
【００３６】
実施の形態３．
図８は実施の形態３を説明するためのフレームの一部拡大斜視図、図９は側面図であり、図において、２ｋはストッパー部２ｃの突起片２ｄに取り付けられた調整ねじで、実施の形態１で説明した突部２ｅとロータヨーク１１１ｅとの高さＢを任意に調整できるようにしたものである（図４参照）。実施の形態２で説明した突部２ｊの機能を兼ね備えている。
【００３７】
この場合、ロータヨーク１１１ｅが振動等により軸方向に移動すると、調整ねじ２ｋの先端に接触し移動量が規制される。また、フレキシブル磁気ディスク１０４がローディングされたとき、調整ねじ２ｋのねじ頭でそのフレキシブル磁気ディスク１０４を下方より支え、ロータヨーク１１１ｅが振動等により軸方向に移動した場合には調整ねじ２ｋの先端がそのロータヨーク１１１ｅの移動量を規制する。この構成によれば、前述したようにキャリッジ機構部１０７の損傷を防止できると共に、記録媒体１０４ａの反りを防止できる。
【図面の簡単な説明】
【００３８】
【図１】本発明の実施の形態１を示すフレキシブル磁気ディスク装置の分解斜視図である。
【図２】おわん型のスピンドルモータの取り付け要部を説明するためのフレームの斜視図である。
【図３】図２に示すフレームの正面図である。
【図４】キャリッジとストッパー部とおわん型のスピンドルモータとの位置関係を示す側面図である。
【図５】おわん型のスピンドルモータとストッパー部とフレキシブル磁気ディスクとの位置関係を示す側面図である。
【図６】実施の形態２を説明するためのフレームの一部拡大斜視図である。
【図７】図６に示すフレームの正面図である。
【図８】実施の形態３を説明するためのフレームの一部拡大斜視図である。
【図９】図８に示すフレームの側面図である。
【図１０】従来のフレキシブル磁気ディスク装置の外観を示す斜視図である。
【図１１】図１０の分解斜視図である。
【図１２】キャリッジ機構部のキャリッジ部を説明するための側面図である。
【図１３】記録媒体を回転させるコア付ラジアルギャップ型モータの断面図である。
【図１４】おわん型のスピンドルモータを説明するための断面図である。
【符号の説明】
【００３９】
１  フレーム、２ａ  底板部、２ｂ  モータ開口部、２ｃ  ストッパー部、２ｄ  突起片、２ｅ  突部、２ｆ，２ｇ  モータ取付部、２ｈ  ポスト部、２ｉ  ねじ穴、２ｊ  支持部の突部、２ｋ  調整部の調整ねじ、３  ホルダー、３ａ  側板、３ｂ  取付部、
３ｃ  フレーム取付部、１０２  パネル、１０３  カバー、１０６  ディスク移動機構部、１０７  キャリッジ機構部、１１１  スピンドルモータ、１１１ａ  回転軸、
１１１ｄ  ベース、１１１ｅ  ロータヨーク、１１１ｇ  ハブ。
【図１】
2004171757.tif 000003
【図２】
2004171757.tif 000004
【図３】
2004171757.tif 000005
【図４】
2004171757.tif 000006
【図５】
2004171757.tif 000007
【図６】
2004171757.tif 000008
【図７】
2004171757.tif 000009
【図８】
2004171757.tif 000010
【図９】
2004171757.tif 000011
【図１０】
2004171757.tif 000012
【図１１】
2004171757.tif 000013
【図１２】
2004171757.tif 000014
【図１３】
2004171757.tif 000015
【図１４】
2004171757.tif 000016